(57)【要約】【課題】ドアハンドル内部に収容された電気部品とドアハンドルの内壁面との間隙に影響されることなく、電気部品の性能低下を抑制することができる車両用ドアハンドル装置を提供する。【解決手段】ハンドル本体と、ハンドル本体を覆うように取り付けられたハンドルカバーとを含む車両用ドアハンドル装置において、ハンドル本体およびハンドルカバーにより形成された、ドアハンドル装置の内部空間に収容される電気部品と、電気部品に固着し、前記ハンドル本体の内壁面における前記電気部品との対向面、および前記ハンドルカバーの内壁面における前記電気部品との対向面と、前記電気部品とにより形成される間隙に充填する緩衝部材と、を備え、緩衝部材は、ドアハンドルの内壁面に圧着するように充填されることを特徴とする。【選択図】図１
2013007176.tif 000002
【特許請求の範囲】
【請求項１】
ハンドル本体と、前記ハンドル本体を覆うように取り付けられたハンドルカバーとを含む車両用ドアハンドル装置において、
前記ハンドル本体および前記ハンドルカバーにより形成された、前記ドアハンドル装置の内部空間に収容される電気部品と、
前記電気部品に固着し、前記ハンドル本体の内壁面における前記電気部品との対向面、および前記ハンドルカバーの内壁面における前記電気部品との対向面と、前記電気部品とにより形成される間隙に充填する緩衝部材と、
を備え、
前記緩衝部材は、前記ドアハンドルの内壁面に圧着するように充填されることを特徴とする車両用ドアハンドル装置。
【請求項２】
前記緩衝部材は、弾性力を有する部材であり、その弾性力によって前記ドアハンドルの内壁面に圧着する請求項１に記載の車両用ドアハンドル装置。
【請求項３】
前記緩衝部材は、シート状の部材であって、前記電気部品の表面に巻き付けられて固着する請求項１または請求項２に記載の車両用ドアハンドル装置。
【請求項４】
前記電気部品は、車両に備えられ、ユーザの所持する携帯キーと予め定められた通信を行う通信部と、前記携帯キーとの通信結果に基づいて車両の予め定められた動作を許可する動作許可部とを含む車載装置を備えるキーレスエントリーシステムにおける前記通信部のアンテナを含む請求項１ないし請求項３のいずれか１項に記載の車両用ドアハンドル装置。
【発明の詳細な説明】
【技術分野】
【０００１】
本発明は、車両用ドアハンドル装置に関する。
【背景技術】
【０００２】
近年、自動車等の車両では、利便性、セキュリティの向上を目的として、キーレスエントリーシステムを搭載したものが増えている。キーレスエントリーシステムは、運転者が所持する携帯キーと無線通信機を含む車載装置との間の無線通信によって暗証データ等を照合することで、ドアの施錠／解錠等の車両の予め定められた動作をキー操作なしで行うシステムである。
【０００３】
このキーレスエントリーシステムにおいて、車両のドアアウタパネルの開口部に組み付けられてドアの開閉操作時の把持部となるドアハンドルを中空構造にし、このドアハンドル内の中空部に、無線通信機のアンテナおよびその周辺回路を組み込んだものもある。しかし、ドアハンドルにアンテナを組み込むと、ドアハンドル操作時の負荷によりドアハンドルが撓むと、これに固定されたアンテナが変形してその性能が劣化することがある。
【０００４】
そこで、ドアハンドル内に形成される内部空間に、ドアハンドルの内壁面との間で間隙を有して収容された電気部品と、電気部品に固定され、ドアハンドルの内壁面に圧着する弾性部材とを備え、弾性部材は、ドアハンドル操作時の負荷によりドアハンドルが撓んでも、この撓みを吸収し、電気部品がドアハンドルの内壁面との間の間隙の範囲で揺動するように電気部品を支持する車両用ドアハンドル装置が考案されている（特許文献１参照）。
【先行技術文献】
【特許文献】
【０００５】
【特許文献１】特開２００４−３２４１０６号公報
【発明の概要】
【発明が解決しようとする課題】
【０００６】
特許文献１の構成では、ドアハンドルに設計時の想定以上の撓みや衝撃が発生したときには、電気部品（アンテナ）が変形して電気的性能が低下する可能性がある。また、ドアハンドルを薄型化すると、間隙が狭くなり、弾性部材が、電気部品がドアハンドルの内壁面との間の間隙の範囲で揺動するように電気部品を支持することは困難となる。
【０００７】
さらに、可撓性を有さない電気部品を、ドアハンドル内に収容することができないという問題もある。
【０００８】
上記問題点を背景として、本発明の課題は、ドアハンドル内部に収容された電気部品とドアハンドルの内壁面との間隙に影響されることなく、電気部品の性能低下を抑制することができる車両用ドアハンドル装置を提供することにある。
【課題を解決するための手段および発明の効果】
【０００９】
上記課題を解決するための車両用ドアハンドル装置は、ハンドル本体と、ハンドル本体を覆うように取り付けられたハンドルカバーとを含む車両用ドアハンドル装置において、ハンドル本体およびハンドルカバーにより形成された、ドアハンドル装置の内部空間に収容される電気部品と、電気部品に固着し、ハンドル本体の内壁面における電気部品との対向面、およびハンドルカバーの内壁面における電気部品との対向面と、前記電気部品とにより形成される間隙に充填する緩衝部材と、を備え、緩衝部材は、ドアハンドルの内壁面に圧着するように充填されることを特徴とする。
【００１０】
上記構成によって、ドアハンドルに設計時の想定以上の撓みや衝撃が発生したときに、電気部品の変形を抑制して電気部品の電気的性能の低下を防止できる。また、ドアハンドルを薄型化して間隙が狭くなっても、弾性部材により電気部品を保護することができる。また、可撓性を有さない電気部品を、ドアハンドル内に収容することもできる。さらに、特許文献１では、収容する電気部品に応じて、弾性部材の大きさや取付位置を考慮しなければならないが、本発明の構成では、緩衝部材を電気部品と内壁面との間に充填するので、これらの考慮の手間を省くこともできる。
【００１１】
また、本発明の車両用ドアハンドル装置における緩衝部材は、弾性力を有する部材であり、その弾性力によってドアハンドルの内壁面に圧着する。
【００１２】
弾性力を有する部材は、ゴム材を始めとして様々な材質のものがあり、各分野で広く使われている。上記構成によって、入手が容易で低コストの部材により緩衝部材を構成することができる。
【００１３】
また、本発明の車両用ドアハンドル装置における緩衝部材は、シート状の部材であって、電気部品の表面に巻き付けられて固着する。
【００１４】
上記構成によって、複雑な加工をすることなく低コストで、緩衝部材を形成することができる。
【００１５】
また、本発明の車両用ドアハンドル装置における電気部品は、車両に備えられ、ユーザの所持する携帯キーと予め定められた通信を行う通信部と、携帯キーとの通信結果に基づいて車両の予め定められた動作を許可する動作許可部とを含む車載装置を備えるキーレスエントリーシステムにおける通信部のアンテナを含む。
【００１６】
キーレスエントリーシステムでは、例えば、ドア毎に解錠／施錠の制御を行うことが望ましいといったセキュリティの面から、携帯キーへ送信する電波の到達範囲を、ドア（あるいはドアハンドル）の近傍（遠くへ電波が飛ばないように）としている。上記構成によって、ドアの解錠／施錠操作の利便性を損なうことなく、キーレスエントリーシステムのセキュリティを確保することができる。
【図面の簡単な説明】
【００１７】
【図１】本発明の車両用ドアハンドル装置の構成を示す分解斜視図。
【図２】図１の車両用ドアハンドル装置の組み付け時の上面図（ドアハンドルカバーあり，なし）。
【図３】図２のＡ−Ａ断面図。
【図４】図２のＢ−Ｂ断面図。
【図５】車両用ドアハンドル装置の別例を示すＢ−Ｂ断面図。
【図６】車両用ドアハンドル装置の別例を示すＢ−Ｂ断面図。
【図７】車両用ドアハンドル装置の別例を示すＢ−Ｂ断面図。
【発明を実施するための形態】
【００１８】
以下、本発明の車両用ドアハンドル装置について、図面を用いて説明する。図１に、本発明の車両用ドアハンドル装置（以下、「ドアハンドル」と略称）１の分解斜視図を示す。ドアハンドル１は、ハンドル本体５１と、ハンドル本体５１を覆うように取り付けられて車体外部の意匠面を形成するハンドルカバー１１とを備えている。そして、ハンドル本体５１およびハンドルカバー１１により形成された、ドアハンドル１の内部空間であるアンテナユニット収容部５４に、緩衝部材２１，アンテナユニット（本発明の電気部品）３１が収容されている。また、同様の内部空間であるドアスイッチ収容部５５にドアスイッチ４１が収容されている。
【００１９】
また、ハンドルカバー１１には、ドアスイッチ４１を外部に露出するように取り付けるための開口部１２が設けられている。
【００２０】
緩衝部材２１は、エチレン−プロピレン−ジエンゴムのようなゴム材、ビニールやシリコン等の弾性樹脂、スポンジやウレタンフォームなどの弾性部材により構成されて、その弾性力により、アンテナユニット収容部５４の内壁面に圧着している。図１の例では、緩衝部材２１は、筒形状に形成されている（詳細は後述）。
【００２１】
アンテナユニット３１は、例えば、フェライトにコイル状に導線が巻かれたループアンテナ（その周辺回路を含んでもよい）をブロック状の樹脂内部に埋設した構造を有しており、一端（図１の左側）に接続されたワイヤハーネス３２によって、車両内部あるいはドア内部の通信ユニット（図示せず）に接続されている。アンテナユニット３１は、断面が多角形，あるいは円形の略筒形状となっている。
【００２２】
アンテナユニット３１は、例えば、ユーザの所持する携帯キーと通信を行う通信部と、携帯キーとの通信結果に基づいて予め定められた動作を許可する動作許可部とを含む車載装置を備えるキーレスエントリーシステムにおける通信部のアンテナとして用いられ、携帯キー対して認証を要求する信号（認証要求信号）を送信する。
【００２３】
また、アンテナユニット３１を、ユーザの操作に基づいて、ユーザが所持する携帯キーからの信号を受信する受信部を含む車載装置を備え、携帯キーからの信号に基づいてドアの解錠／施錠を行うリモートキーレスシステムにおける受信部のアンテナとして用いてもよい。
【００２４】
ドアスイッチ４１は、例えば周知のプッシュスイッチにより構成され、利用者がドアの解錠／施錠を行うためのものである。ドアスイッチ４１の一端（図１の左側）に接続されたワイヤハーネス４２によって、車両内部あるいはドア内部の制御ユニット（図示せず）に接続されている。キーレスエントリーシステムでは、携帯キーから上述の認証要求信号に対応する応答信号を受信し、車載装置に含まれる制御部において、受信した応答信号に基づいて認証を行い、正常に認証されたとき、ドアスイッチ４１が操作されると、車両の状況に応じてドアの解錠／施錠を行う。認証は、例えば、応答信号に含まれる携帯機のＩＤと、車載装置にあらかじめ記憶されたＩＤとを照合することにより行う。
【００２５】
ハンドル本体５１は、長手方向の一端（図１の左側）に、ドアハンドル１の回動操作の支点となる支点アーム部５２が形成され、長手方向の他の一端（図１の右側）に、ドアハンドル１の回動方向を規定し、回動されたドアハンドル１が、車両のドアアウタパネルに組み付けられているベース部材（図示せず）から抜け出ることを防止するための抜止め部５３ａを含むガイドアーム部５３が形成されている。
【００２６】
また、ハンドル本体５１には、ワイヤハーネス３２を配設するためのガイド５６ａ，５７ａ、ワイヤハーネス４２を配設するためのガイド５６ｂ，５７ｂが形成されている。
【００２７】
また、ハンドル本体５１には、ハンドルカバー１１方向に貫通する挿通孔５８と略同心で略円筒状に突出するボス部５９が形成されている。また、ハンドルカバー１１の内側のボス部５９との対向部にボス部１３が形成されている。そして、ハンドル本体５１およびハンドルカバー１１は、図１において下側（すなわち、車両のドア側）から挿通孔５８（ボス部５９）に挿通されるねじ６０が、ハンドルカバー１１に形成されたボス部１３に締め付けられることで固定されている。
【００２８】
ドアハンドル１は、上述の、支点アーム部５２およびガイドアーム部５３を取り付けるベース部材（図示せず）を介して、車両用ドアに取り付けられる。なお、ドアハンドル１の車両用ドアへの取り付け方法、構造の詳細については、特許文献１、あるいは特開２００８−０１３９６０公報のような本願出願人の出願した公開公報等の公知のドアハンドルの構造に準じている。
【００２９】
図２〜図４を用いて、緩衝部材２１，アンテナユニット３１の、ドアハンドル１への取り付け形態について説明する。図２は、図１の車両用ドアハンドル装置の上面図を示したもので、図２（ａ）は、ハンドル本体５１にハンドルカバー１１を組み付けた状態での上面図を示し、図２（ｂ）は、図２（ａ）でハンドルカバー１１を取り外した状態での上面図を示している。また、図３は、図２（ｂ）のＡ−Ａ断面図を、図４は、図２（ｂ）のＢ−Ｂ断面図をそれぞれ示している。
【００３０】
まず、ドアスイッチ収容部５５にドアスイッチ４１が収容される。ワイヤハーネス４２はハンドル本体５１の底部に形成された溝部６１、分岐ガイド６２からボス部５９の周縁（図２（ｂ）の上側）を通り、ガイド５６ｂ，５７ｂにより係止されて、ドア側へ配線される。
【００３１】
図１の例では、アンテナユニット３１は、矢印Ｃ方向に、ワイヤハーネス３２が接続されていない側から、筒状に形成された緩衝部材２１の内部に挿入される。
【００３２】
また、緩衝部材２１の内部の表面は、アンテナユニット３１の表面と固着するように形成されている。両面テープや接着剤を用いて、緩衝部材２１とアンテナユニット３１とを接着してもよい。これにより、アンテナユニット３１のガタつきを抑え、ドアハンドルに撓みや衝撃が発生しても、緩衝部材２１によって、より効率よく撓みや衝撃を吸収・緩和することができる。
【００３３】
そして、アンテナユニット３１が挿入された緩衝部材２１は、アンテナユニット収容部５４に収容される。このとき、アンテナユニット収容部５４の長手方向（図１の左右方向）の左右の端部には、それぞれストッパー部６３，６４が形成され、緩衝部材２１あるいはアンテナユニット３１の長手方向の端部がそれぞれストッパー部に当接し、緩衝部材２１あるいはアンテナユニット３１がガタつかないようにしている。また、ワイヤハーネス３２は、ボス部５９の周縁（図２（ｂ）の下側）を通り、ガイド５６ａ，５７ａにより係止されて、ドア側へ配線される。
【００３４】
また、ドアスイッチ４１の筐体に突出部４１ａを設け、緩衝部材２１のあるいはアンテナユニット３１長手方向の右端部の一部（ストッパー部６４に当接していない部分）が、突出部４１ａに当接するようにして、ドアスイッチ４１がストッパーを兼ねるようにしてもよい。
【００３５】
図４のように、緩衝部材２１は、断面が略矩形状となっているアンテナユニット収容部５４の上部内壁面５４ａ，側部内壁面５４ｂ，底部内壁面５４ｃのいずれにも圧着するように断面形状（すなわち、各部の厚さ）が規定されている。これにより、緩衝部材２１と、ハンドル本体５１およびハンドルカバー１１との間には間隙は生じない。無論、緩衝部材２１の内面形状は、アンテナユニット３１との間に間隙を生じないようになっている。
【００３６】
図１において、緩衝部材２１の長手方向（図１の左右方向）の長さは、アンテナユニット３１の長手方向の長さよりも短くなっている（アンテナユニット３１の両端部が緩衝部材２１の両端部から突出している）が、アンテナユニット３１の長手方向の長さと略同一でもよいし、長くてもよい。
【００３７】
また、緩衝部材２１の形状を、アンテナユニット３１の長手方向の端部（例えばストッパー部６４側）を覆うような、略袋状にしてもよい。また、このとき、緩衝部材２１にアンテナユニット３１を挿入後、略袋状の緩衝部材２１の開口部を閉じてもよい。この場合、緩衝部材が電気部材の表面全体を覆うように固着することになり、アンテナユニット３１とストッパー部６３，６４との間隙にも緩衝部材が充填され、組み付けの安定性およびドアハンドル１の撓みによるアンテナユニット３１への影響（変形等）を抑えることができる。
【００３８】
図５に、緩衝部材２１の構成の別例を示す。これは、図５（ａ）のように、緩衝部材２１の筒状の構造を１枚のシート状部材により形成したものである。アンテナユニット３１の長手方向（図５（ａ）の左右方向）を巻き付け軸として、アンテナユニット３１の表面に緩衝部材２１を巻き付けている。緩衝部材２１は、アンテナユニット３１に固着するための、両面テープあるいは接着剤等が塗布された接着層２１ｇを形成している。
【００３９】
アンテナユニット３１の長手方向の長さＬ１と、緩衝部材２１のアンテナユニット３１の長手方向に対応する辺の長さＬ２は、略同一としているが、Ｌ１＞Ｌ２あるいはＬ１＜Ｌ２としてもよい。Ｌ１＜Ｌ２とする場合、緩衝部材２１の長手方向の端部（ストッパー部６３，６４との対向部）を閉じることで、上述の略袋状とすることができる。
【００４０】
図５（ｂ）に、略筒形状のアンテナユニット３１の胴部表面に緩衝部材２１を巻き付けた状態の断面図（図２のＢ−Ｂ方向に相当）を示す（接着層は図示略）。巻き付けた緩衝部材２１の２つの端部が形成する継ぎ目２１ａも、接着剤等で固着してもよい。また、緩衝部材２１の厚さは、アンテナユニット収容部５４のいずれの内壁面（上部内壁面５４ａ，側部内壁面５４ｂ，底部内壁面５４ｃ）にも圧着するように規定されている。図５（ｂ）の例では、上部内壁面５４ａに圧着する部分の厚さが、他の部分よりも厚くなっている。無論、緩衝部材２１の厚さを均一としてもよい。この場合、緩衝部材２１は、アンテナユニット３１とアンテナユニット収容部５４の内壁面との間隙の長さが最も大きい箇所（図５（ｂ）の例では、上部内壁面５４ａ）に圧着可能な厚みを有している。
【００４１】
図６に、図５の緩衝部材２１の構成の別例（断面図）を示す。図６は、緩衝部材は、厚さが略一定のシート状の部材であって、略筒状の電気部品の胴部の表面に筒状に巻き付けて固着するもので、緩衝部材の巻き付け方向の長さは、電気部品の外周部の巻き付け方向の１周長を上回り、その１周長を上回る部分は、電気部品に固着している緩衝部材に重畳して固着される例を示している。
【００４２】
緩衝部材２１を１枚のシート状部材により形成し、アンテナユニット３１の上面を始点として巻き付け、略筒形状のアンテナユニット３１の胴部表面の１周長を上回る部分２１ｂが、先に巻き付けた緩衝部材２１に重畳する重畳部となっている。緩衝部材２１は、接着剤等でアンテナユニット３１（あるいは緩衝部材２１）に固着している。
【００４３】
なお、図６では、アンテナユニット３１と緩衝部材２１との間、あるいは内壁面と緩衝部材２１との間に間隙があるように見えるが、作図の制約によるもので、実際の構成では間隙は形成されない。
【００４４】
図６のように、アンテナユニット３１とアンテナユニット収容部５４の内壁面（上部内壁面５４ａ，側部内壁面５４ｂ，底部内壁面５４ｃ）との間隙の最も大きい箇所（図６の例では上部内壁面５４ａとの間隙）に、重畳部分を形成するように緩衝部材２１を巻きつけることで、緩衝部材２１（重畳部分２１ｆ）を上部内壁面５４ａに圧着することができる。また、アンテナユニット３１の外周部の１周長を上回る部分（２１ｂ）を折り畳んで、上部内壁面５４ａに圧着するようにしてもよい。これにより、厚みが略一定の部材（弾性部材）を、緩衝部材２１として用いることができ、緩衝部材２１の製造工程を簡略化できる。
【００４５】
図７に、図５の緩衝部材２１の構成の別例（断面図）を示す。図７は、図６の緩衝部材２１の重畳部２１ｂを、別の緩衝部材２１ｅを用いて形成したものである。また、緩衝部材２１は、上部材２１ｃ，下部材２１ｄのように複数のシート状部材により構成されている。無論、上部材２１ｃと下部材２１ｄとの継ぎ目は、接着剤等で固着してもよい。緩衝部材２１ｅと上部材２１ｃとを一体形成してもよい。これにより、アンテナユニット３１が、１枚のシート状部材を巻きつけることが困難な形状であるときでも、緩衝部材を分割することで、アンテナユニット３１の所定位置に緩衝部材を固着することができる。
【００４６】
アンテナユニット３１の長手方向を軸として、緩衝部材２１を螺旋状に巻き付けてもよい。
【００４７】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００４８】
１    車両用ドアハンドル装置
１１    ハンドルカバー
２１    緩衝部材
３１    アンテナユニット（電気部品）
５１    ハンドル本体
５４ａ  上部内壁面（内壁面）
５４ｂ  側部内壁面（内壁面）
５４ｃ  底部内壁面（内壁面）
【図１】
2013007176.tif 000003
【図２】
2013007176.tif 000004
【図３】
2013007176.tif 000005
【図４】
2013007176.tif 000006
【図５】
2013007176.tif 000007
【図６】
2013007176.tif 000008
【図７】
2013007176.tif 000009
【手続補正書】
【提出日】平成24年2月28日(2012.2.28)
【手続補正１】
【補正対象書類名】特許請求の範囲
【補正対象項目名】請求項１
【補正方法】変更
【補正の内容】
【請求項１】
ハンドル本体と、前記ハンドル本体を覆うように取り付けられたハンドルカバーとを含む車両用ドアハンドル装置において、
前記ハンドル本体および前記ハンドルカバーにより形成された、前記ドアハンドル装置の内部空間に収容される、少なくともアンテナ素子を含むアンテナユニットである電気部品と、
前記電気部品に固着し、前記ハンドル本体の内壁面における前記電気部品との対向面、および前記ハンドルカバーの内壁面における前記電気部品との対向面と、前記電気部品とにより形成される間隙に充填する緩衝部材と、
を備え、
前記緩衝部材は、前記ドアハンドルの内壁面に圧着するように充填されることを特徴とする車両用ドアハンドル装置。
【手続補正２】
【補正対象書類名】明細書
【補正対象項目名】０００９
【補正方法】変更
【補正の内容】
【０００９】
上記課題を解決するための車両用ドアハンドル装置は、ハンドル本体と、ハンドル本体を覆うように取り付けられたハンドルカバーとを含む車両用ドアハンドル装置において、ハンドル本体およびハンドルカバーにより形成された、ドアハンドル装置の内部空間に収容される、少なくともアンテナ素子を含むアンテナユニットである電気部品と、電気部品に固着し、ハンドル本体の内壁面における電気部品との対向面、およびハンドルカバーの内壁面における電気部品との対向面と、前記電気部品とにより形成される間隙に充填する緩衝部材と、を備え、緩衝部材は、ドアハンドルの内壁面に圧着するように充填されることを特徴とする。
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
ハンドル本体と、前記ハンドル本体を覆うように取り付けられたハンドルカバーとを含む車両用ドアハンドル装置において、
前記ハンドル本体および前記ハンドルカバーにより形成された、前記ドアハンドル装置の内部空間に収容される、少なくともアンテナ素子を含むアンテナユニットである電気部品と、
シート状の部材であって、前記電気部品の表面に巻き付けられて、該電気部品に固着し、前記ハンドル本体の内壁面における前記電気部品との対向面、および前記ハンドルカバーの内壁面における前記電気部品との対向面と、前記電気部品とにより形成される間隙に充填する緩衝部材と、
を備え、
前記緩衝部材は、前記ドアハンドルの内壁面に圧着するように充填されるとともに、該緩衝部材の長手方向の端部は、前記ハンドルカバーの内壁面に形成されたストッパー部に当接することを特徴とする車両用ドアハンドル装置。
【請求項２】
前記緩衝部材は、弾性力を有する部材であり、その弾性力によって前記ドアハンドルの内壁面に圧着する請求項１に記載の車両用ドアハンドル装置。
【請求項３】
前記電気部品は、車両に備えられ、ユーザの所持する携帯キーと予め定められた通信を行う通信部と、前記携帯キーとの通信結果に基づいて車両の予め定められた動作を許可する動作許可部とを含む車載装置を備えるキーレスエントリーシステムにおける前記通信部のアンテナを含む請求項１または請求項２に記載の車両用ドアハンドル装置。
【手続補正２】
【補正対象書類名】明細書
【補正対象項目名】０００９
【補正方法】変更
【補正の内容】
【０００９】
上記課題を解決するための車両用ドアハンドル装置は、ハンドル本体と、ハンドル本体を覆うように取り付けられたハンドルカバーとを含む車両用ドアハンドル装置において、ハンドル本体およびハンドルカバーにより形成された、ドアハンドル装置の内部空間に収容される、少なくともアンテナ素子を含むアンテナユニットである電気部品と、電気部品に固着し、ハンドル本体の内壁面における電気部品との対向面、およびハンドルカバーの内壁面における電気部品との対向面と、前記電気部品とにより形成される間隙に充填する緩衝部材と、を備え、緩衝部材は、ドアハンドルの内壁面に圧着するように充填されることを前提とする。